(57)【要約】【課題】  カラムの使用状況を管理する場合に手間がかかる。また、迅速に処理することが難しく、自動化も困難であるという課題がある。また、カラムの情報を知るための操作の簡易性・省エネ性に課題がある。【解決手段】  解決手段としては、例えば、カラムにデータ記憶媒体を取り付けることがある。具体的には、分析ごとに、データ処理装置で分析条件の設定・変更履歴情報およびカラム情報（カラムＩＤ，最終使用日付，封入液，圧力，サンプル名，理論段数等）の更新とデータ記憶媒体への書き込み／読出しを行う。カラムに取り付けられたデータ記憶媒体はデータの書き換えが出来るものとする。本発明の他の特徴は、データ記憶媒体に記録されたデータをＬＣＤ装置や、ＰＥＴカードやプラスティックカードなどの書き換え可能なカード（リライトカード）を使用し、操作員が視認できるような表示部をカラムに設けることである。【選択図】図２
2008209327.tif 000002
【特許請求の範囲】
【請求項１】
被検査物を分離する為に用いるカラムであって、書き換えることを必要とする情報を保存するデータ記憶媒体と、該データ記憶媒体の書き込み／読出し／書き換えを行うインターフェース部と該データ記憶媒体の内容が表示できる表示部とを有することを特徴とするカラム。
【請求項２】
請求項１において、前記で書き換えることを必要とする情報は、分析条件の設定・変更履歴情報およびカラムＩＤ，最終使用日付，封入液，圧力，サンプル名，理論段数の少なくとも一つであるカラム情報の少なくとも一つであることを特徴とするカラム。
【請求項３】
書き換えることを必要とする情報を保存するデータ記憶媒体と、該データ記憶媒体の書き込み／読出し／書き換えを行うインターフェース部と該データ記憶媒体の内容が表示できる表示部とを有する被検査物を分離する為に用いるカラムをデータ通信可能に接続する分離部と、分離部で分離された被検査物を検出する検出部とを具備する液体クロマトグラフ。
【請求項４】
請求項３において、前記カラムへ電源を供給する電源供給部を具備する液体クロマトグラフ。
【発明の詳細な説明】
【技術分野】
【０００１】
本発明は、カラムおよび液体クロマトグラフに関する。
【背景技術】
【０００２】
従来、カラムの個体情報を知るためには、特許文献１に開示されるように、検体管用ラベルを貼ることが知られている。また、特許文献２に開示されるように、パーソナルコンピュータのデータ保存部に、各カラムに関しカラム名称等のカラム個別情報や総分析時間等の使用履歴情報を含むカラムＤＢを保存し、分析に先立って分析者が使用したいカラムを指定すると、関連情報がパーソナルコンピュータの表示部に表示することが知られていた。
【０００３】
【特許文献１】特開２００４−３５４５５１号公報
【特許文献２】特開２００４−１６３３３９号公報
【発明の開示】
【発明が解決しようとする課題】
【０００４】
上記の場合、カラムを倉庫や棚に保管していると、カラムの使用状況を管理する場合に手間がかかる。また、使用状況を印字で記録する場合は、迅速に処理することが難しく、自動化も困難であるという課題がある。
【０００５】
また、カラムを分析装置に取り付けることにより、カラムに記録してあるデータ記録媒体からカラムの情報を読み取り、分析装置に接続したパーソナルコンピュータのモニタ上に表示する場合、カラムの情報を知るためにはパーソナルコンピュータ・分析装置の電源を入れなければならないため操作の簡易性・省エネ性に課題がある。
【課題を解決するための手段】
【０００６】
上記の課題を解決するためになされた本発明の一つの特徴は、カラムにデータ記憶媒体を取り付けることにある。具体的には、分析ごとに、データ処理装置で分析条件の設定・変更履歴情報およびカラム情報（カラムＩＤ，最終使用日付，封入液，圧力，サンプル名，理論段数等）の更新とデータ記憶媒体への書き込み／読出しを行う。カラムに取り付けられたデータ記憶媒体はデータの書き換えが出来るものとする。
【０００７】
また、本発明の他の特徴は、データ記憶媒体に記録されたデータをＬＣＤ装置や、PETカードやプラスティックカードなどの書き換え可能なカード（リライトカード）を使用し、操作員が視認できるような表示部をカラムに設けることである。これにより、カラム単独で分析条件の設定・変更履歴情報およびカラム情報を管理できる。
【発明の効果】
【０００８】
本発明によれば、例えば、カラムの情報を確認するために直接カラムに表示機能を持たせることで、カラム単独での分析条件の設定・変更履歴情報およびカラム情報（カラム
ＩＤ，最終使用日付，封入液，圧力，サンプル名，理論段数等）の管理を可能とし、次のような効果が得られる。
【０００９】
分析条件の設定・変更履歴情報およびカラム情報をもっているコンピュータや分析器を不用とすることが可能であり、電源を入れてカラムを設置する手間を軽減できる。
【００１０】
また、カラムを保管している場所で、カラムの分析条件の設定・変更履歴情報およびカラム情報が確認できるので、カラムの管理をすることの高効率化に寄与することが出来る。
【００１１】
また、カラムを分析器に設置する前に、分析条件の設定・変更履歴情報およびカラム情報を確認することが可能なので、劣化カラムの早期発見や、不良カラムを事前に把握することができる。
【発明を実施するための最良の形態】
【００１２】
以下、図面を用いて本発明の実施例を説明する。
【００１３】
図１は、クロマトグラフ分析装置の構成の一例を示す図である。溶離液送液機構１０と試料導入部３とガードカラム４と分離カラム５より構成される分離機構１１と反応液送液機構１２とＴ字ジョイント６と反応装置７と検出器８とこれらをつなぐ流路１３とデータ処理装置９と分離カラム５に取り付けられたデータ記憶部１４を備える。送液機構１０はポンプ１内または溶離液槽とポンプの間に電磁弁を有しており、データ処理装置９からの信号またはポンプへの直接入力により、電磁弁を切り替え、選択された溶離液をポンプ１により送液する。
【００１４】
溶離液は試料導入部３を経由して分離機構１１へと送られる。試料導入部３から導入された試料は分離機構１１のカラムスイッチングバルブにより選択されたガードカラムを通過し、分離カラム５で分離される。
【００１５】
反応液送液機構１２は反応液または洗浄液を送液するポンプ２と流路を備え、ポンプ２内または反応液・洗浄液槽とポンプ２の間に電磁弁を有している。反応液送液機構１２はデータ処理装置９からの信号またはポンプへの直接入力により電磁弁を切り替え、選択された液をポンプ２により流路１３へと送液する。
【００１６】
Ｔ字ジョイント６は分離カラム５と反応液混合部との間に設けられ、分離カラム５で分離されたサンプルは反応液送液機構１２から送液される反応液と混合される。この混合液は、反応装置７を通過する際に反応し呈色して、検出器８により検出される。検出器８は検出信号をデータ処理装置９に出力する。データ処理装置９は入力した信号を処理してクロマトグラムおよびデータとして出力，記録，保存するとともにデータ記憶部１４にカラム情報を保存する。分離カラム５あるいはデータ記憶部１４に保存されているカラム情報を表示するデータ表示部１７を設置し、操作員が視認できるようにする。
【００１７】
分離機構１１は、書き換えることを必要とする情報を保存するデータ記憶媒体と、該データ記憶媒体の書き込み／読出し／書き換えを行うインターフェース部と該データ記憶媒体の内容が表示できる表示部とを有する被検査物を分離する為に用いるカラムをデータ通信可能に接続する分離部として機能し、分離部で分離された被検査物を検出する検出部として機能する検出器８を有する。
【００１８】
図２は、分離カラム５上に直接ＬＣＤ表示装置１５を設置し、分析条件の設定・変更履歴情報およびカラム情報（カラムＩＤ，最終使用日付，封入液，圧力，サンプル名，理論段数等）が記録されているデータ記憶部１４から情報を読み取るようにした例である。電源スイッチ１６を押すことにより分離カラム５の情報をデータ表示部１７に表示する。表示された情報はスイッチ１８によって、分析条件の設定・変更履歴情報およびカラム情報の表示内容を切り替えることができる。なお、データ記憶部１４は、電源を不要とする電子記録媒体とすることも可能である。
【００１９】
図３は、ＬＣＤ表示装置及びデータ記憶部をＰＥＴカードやプラスティックカードなどの書き換え可能なカード（リライトカード）１９に置き換えた例である。この場合、データ記憶媒体であるリライトカード１９上に操作員が直接視認できるように、分析条件の設定・変更履歴情報およびカラム情報が記録される。
【００２０】
図４は、データ表示部１７をデータ記憶部１４上に設置した例である。この場合、直接データ記憶部１４から分析条件の設定・変更履歴情報およびカラム情報を読み取り、データ表示部１７に表示することが可能である。
【００２１】
図５は、ＬＣＤ表示装置１５は必ずしも分離カラム５上に固定されている必要は無く、データ記憶部１４から有線あるいは無線で分析条件の設定・変更履歴情報およびカラム情報を読み取り、データ表示部１７に表示することを可能とした例である。
【００２２】
図６は、取り外しを可能とするＬＣＤ表示装置及びデータ記憶部をＰＥＴカードやプラスティックカードなどの書き換え可能なカード（リライトカード）１９に置き換えた例である。この場合、データ記憶媒体であるリライトカード１９は、分離カラム５に物理的に接続でき、リライトカード１９上には操作員が直接視認できるように、分析条件の設定・変更履歴情報およびカラム情報が記録される。
【００２３】
図７は、ＬＣＤ表示装置１５を外部電源方式にした場合である。ＬＣＤ表示装置１５及びデータ記憶部１４は必ずしも電池式ではなく、ＬＣＤ表示装置１５が接続可能な外部電源に接続されている外部装置２０から電源を供給してもらうことが出来る。これにより、ＬＣＤ表示装置１５及びデータ記憶部１４は電源供給の場所を選ぶ必要が無く、さらにニッケル水素充電池やリチウムイオン電池等の蓄電池を使用することにより電池切れで使用できなくなることもなくなる。この外部装置として、前記カラムへ電源を供給する電源供給部を具備する液体クロマトグラフを用いることが望ましい。
【００２４】
図８は、表示カラムにデータを表示するためのフロー図である。まず、表示カラムを読み取り／書き込み機に装着して、接続する（２１）。読み取り／書き込み機は、カラムに記録されている読み取りデータ２２であるカラム情報（カラムＩＤ，最終使用日付，封入液，圧力，サンプル名，理論段数等）を読み取る（２３）。読み取り／書き込み機から、カラムに変更した書き込みデータ２６であるカラム情報（カラムＩＤ，最終使用日付，封入液，圧力，サンプル名，理論段数等）を書き込む。カラムに変更した書き込みデータ
２６であるカラム情報（カラムＩＤ，最終使用日付，封入液，圧力，サンプル名，理論段数等）を書き込む時までは、表示しているデータは書き込む前の記憶済みデータを表示
（２８）し、カラム情報（カラムＩＤ，最終使用日付，封入液，圧力，サンプル名，理論段数等）２６を書き込んだ時より新しい新規データを表示（２９）する。最新のデータを表示した段階でカラムを取り外す（２７）。
【００２５】
図９は、表示カラムにデータを書き込むためのフロー図である。まず、データ処理装置（ＰＣ等）に書き込み装置を接続する。書き込み装置は専用機でもかまわないが、既存システムとの整合性を保つため、書き込み装置とデータ処理装置（ＰＣ等）は接続できることが望ましい。データ書き込み装置に表示カラムを接続する。データ処理装置でカラムの管理情報画面（図１１参照）を開く。現在接続しているカラムに記録されているカラム情報（カラムＩＤ，最終使用日付，封入液，圧力，サンプル名，理論段数等）を自動的に読み込む。このとき、読み込みボタンをつけて任意の時に読み込むことができるようにしてもよい。読み込みボタンを押下するタイミングで現在接続しているカラムのカラム情報
（カラムＩＤ，最終使用日付，封入液，圧力，サンプル名，理論段数等）がデフォルトで表示される。マンマシンインターフェースにより、カラム情報（カラムＩＤ，最終使用日付，封入液，圧力，サンプル名，理論段数等）を入力する。ＯＫボタンを押下することにより、表示されているデータは表示カラムに取り付けられたデータ記憶媒体に保存することができる。
【００２６】
図１０は、表示カラムにデータを表示するためのフロー図である。カラムに取り付けられたデータ記憶媒体より、表示装置に組み込まれている表示専用のマイコンでカラム情報（カラムＩＤ，最終使用日付，封入液，圧力，サンプル名，理論段数等）をＬＣＤ等の表示装置に表示させる。
【００２７】
図１１は、図９で説明しているデータ処理装置でカラムの管理情報画面である。カラム情報（カラムＩＤ，最終使用日付，封入液，圧力，サンプル名，理論段数等）と、ＯＫ
（データ転送ボタン）や読み込みボタン（データ読み取りボタン），キャンセルボタン
（表示データの破棄）などのインターフェースより構成される。
【産業上の利用可能性】
【００２８】
分離分析用のカラム管理を手軽に行うことができる。
【図面の簡単な説明】
【００２９】
【図１】本発明の実施形態の主要構成図。
【図２】本発明の実施形態である分離カラム上の表示部をＬＣＤ表示装置にした場合の概念図。
【図３】本発明の実施形態である分離カラム上の表示部をリライトカードにした場合の概念図。
【図４】本発明の実施形態である分離カラム上の表示部をデータ記憶部上に設置した場合の概念図。
【図５】本発明の実施形態である分離カラムから表示部であるＬＣＤ表示装置を離して使用する場合の概念図。
【図６】本発明の実施形態である分離カラムから表示部であるリライトカードを離して使用する場合の概念図。
【図７】本発明の実施形態である分離カラムから表示部であるＬＣＤ表示装置を離して使用する場合において、電源を外部から供給する場合の概念図。
【図８】本発明の実施形態である分離カラムにデータを表示するためのフロー図。
【図９】本発明の実施形態である分離カラムにデータを書き込むためのフロー図。
【図１０】本発明の実施形態である分離カラムにデータを表示するためのフロー図。
【図１１】本発明の実施形態である分離カラムをデータ処理装置に接続した場合のカラムの管理情報画面図。
【符号の説明】
【００３０】
１  分離カラムに溶離液を送液する第一ポンプ
２  反応液または洗浄液を送液する第二ポンプ
３  試料導入部
４  ガードカラム
５  分離カラム
６  Ｔ字ジョイント
７  反応装置
８  検出器
９  データ処理装置
１０  溶離液送液機構
１１  分離機構
１２  反応液送液機構
１４  データ記憶部
１５  ＬＣＤ表示装置
１６  電源スイッチ
１７  データ表示部
１８  スイッチ
１９  ＰＥＴカードやプラスティックカードなどの書き換え可能なカード（リライトカード）
２０  外部装置
【図１】
2008209327.tif 000003
【図２】
2008209327.tif 000004
【図３】
2008209327.tif 000005
【図４】
2008209327.tif 000006
【図５】
2008209327.tif 000007
【図６】
2008209327.tif 000008
【図７】
2008209327.tif 000009
【図８】
2008209327.tif 000010
【図９】
2008209327.tif 000011
【図１０】
2008209327.tif 000012
【図１１】
2008209327.tif 000013